(57)【特許請求の範囲】
【請求項１】
ワイヤを送るための少なくとも一つの再配置可能な付属品を受け入れる少なくとも一つのグリッドタイルを備えており、前記少なくとも一つのグリッドタイルが上面、底面及び側面を有しており、
前記少なくとも一つのグリッドタイルが、前記少なくとも一つのグリッドタイルに沿ってワイヤを送る前記少なくとも一つの再配置可能な付属品を受け入れるための、前記上面から前記少なくとも一つのグリッドタイルを貫通して前記グリッドタイルの前記底面まで延在する複数個の適合する穴を有しており、
前記少なくとも一つのグリッドタイルが、前記少なくとも一つのグリッドタイルの前記底面にロッキング面を有しており、前記ロッキング面が、前記少なくとも一つの再配置可能な付属品をロック位置に保持するように前記複数個の適合する穴を補完し、
前記適合する穴が、中心円形部及び前記中心円形部から延在する二つの側面矩形部を有し、
前記ロッキング面が複数個の斜面及び複数個の溝を有する、ワイヤハーネスアセンブリシステム。
【請求項２】
各溝が、隣接する斜面によって形成されたＶ形状である、請求項１に記載のワイヤハーネスアセンブリシステム。
【請求項３】
前記溝が、前記適合する穴の前記側面矩形部から９０度位置ずれした、請求項１に記載のワイヤハーネスアセンブリシステム。
【請求項４】
複数個の脚が、前記少なくとも一つのグリッドタイルの前記底面から延在して、面において前記少なくとも一つのグリッドタイルを支持する、請求項１に記載のワイヤハーネスアセンブリシステム。
【請求項５】
前記側面が、隣接するグリッドタイルを接合するための噛み合い特徴を有する、請求項１に記載のワイヤハーネスアセンブリシステム。
【請求項６】
前記噛み合い特徴が、グリッドタイルのアレイを形成するように噛み合う凸部及び溝を含む、請求項５に記載のワイヤハーネスアセンブリシステム。
【請求項７】
前記少なくとも一つのグリッドタイルが、前記少なくとも一つのグリッドタイルを面に固定するための締め具を受け入れる穴を有する、請求項１に記載のワイヤハーネスアセンブリシステム。
【請求項８】
所望のワイヤハーネスアセンブリレイアウトを図示するための、前記少なくとも一つのグリッドタイルの前記上面の一面に位置付けられたシートをさらに備えた、請求項１に記載のワイヤハーネスアセンブリシステム。
【請求項９】
複数個のグリッドタイル、及び前記ワイヤハーネスアセンブリシステムの正確な位置合わせを保証するための、隣接するグリッドタイルに係合する少なくとも一つのグリッドタイルコネクタをさらに備えた、請求項１に記載のワイヤハーネスアセンブリシステム。
【請求項１０】
前記少なくとも一つのグリッドタイルコネクタが、面に付くことなく、複数のグリッドタイルに接合する、請求項９に記載のワイヤハーネスアセンブリシステム。
【請求項１１】
前記少なくとも一つのグリッドタイルコネクタが、前記隣接するグリッドタイルの前記底面に係合する、請求項９に記載のワイヤハーネスアセンブリシステム。
【請求項１２】
前記少なくとも一つのグリッドタイルコネクタが、補強リブとともに底面を備えた、請求項９に記載のワイヤハーネスアセンブリシステム。
【請求項１３】
前記少なくとも一つのグリッドタイルコネクタが、前記グリッドタイルを前記少なくとも一つのグリッドタイルコネクタに固定するための締め具を受け入れる穴を含む、請求項９に記載のワイヤハーネスアセンブリシステム。
【請求項１４】
前記少なくとも一つのグリッドタイルコネクタが、前記グリッドタイルから延在する脚を保持するための位置決めウェルを備えた、請求項９に記載のワイヤハーネスアセンブリシステム。
【請求項１５】
ワイヤを送る前記少なくとも一つの再配置可能な付属品を受け入れるための前記少なくとも一つのグリッドタイルに備え付けられたロッキングマウントをさらに備えており、前記ロッキングマウントが、前記少なくとも一つのグリッドタイルの前記適合する穴及びロッキング面に対になり係合して、前記備え付けられたロッキングマウントがロック位置に回転される、適合する下部を有する、請求項１に記載のワイヤハーネスアセンブリシステム。
【請求項１６】
前記ロッキングマウントの前記適合する下部が、角度のある上面部とともに側面突起を含むシャフトを有しており、前記グリッドタイルにおける前記適合する穴が、中心円形部及び二つの側面矩形部を有しており、
前記ロッキングマウントの前記シャフトが、前記適合する穴の前記中心円形部に位置付けられ、前記ロッキングマウントの前記側面突起が、前記適合する穴の前記二つの側面矩形部に位置付けられて、前記ロッキングマウントが前記複数個の適合する穴の一つに備え付けられた、請求項１５に記載のワイヤハーネスアセンブリシステム。
【請求項１７】
前記ロッキング面が複数個の斜面及び複数個の溝を有しており、前記ロッキングマウントの前記側面突起及び角度のある上面部が、前記複数個の斜面の一つを超えて、前記ロッキング面における前記複数個の溝の一つに滑り入り、前記ロッキングマウントを前記グリッドタイルに固定する、請求項１６に記載のワイヤハーネスアセンブリシステム。
【発明の詳細な説明】
【技術分野】
【０００１】
関連出願の相互参照
この有用な出願は、２０１５年５月８日に出願された「Ｗｉｒｅ  Ｈａｒｎｅｓｓ  Ａｓｓｅｍｂｌｙ  Ｓｙｓｔｅｍ」と題された米国仮特許出願第６２／１５８，８８０号、及び２０１４年１０月３１日に出願された「Ｗｉｒｅ  Ｈａｒｎｅｓｓ  Ａｓｓｅｍｂｌｙ  Ｓｙｓｔｅｍ」と題された米国仮特許出願第６２／０７３，６６５号の優先権を主張し、それらの全体を参照により本明細書に組み込む。
【０００２】
本発明は、ワイヤハーネスアセンブリシステムに関し、特に、適合するロッキングマウントを備えたワイヤハーネスアセンブリシステムに関する。
【背景技術】
【０００３】
複数個のワイヤマウントまたはワイヤを送るための他の付属品を取り付けるためのパネルボードを提供することが一般的な方法となっている。通常、パネルボードは、マウントを受け入れるように設計された複数個の円形の穴を含む。多くの場合、パネルボードの一面に紙カバーが位置付けられる。紙カバーは、マウント及びワイヤが位置すべき所のマーキングを有する。マウントまたは付属品は、パネルボード上の紙の一面に備え付けられる。ワイヤは、マウントを通り抜けてそれらの所望の終端点間を通る。ワイヤは、備え付けられた後、通常、共に束ねられてワイヤハーネスアセンブリを形成する。その後、ワイヤハーネスアセンブリが顧客に発送される。
【発明の概要】
【発明が解決しようとする課題】
【０００４】
ワイヤのより速いルーティングのために組み立てが柔軟かつ容易な改善されたワイヤハーネスアセンブリプロセスに対する要求がある。また、ワイヤハーネスタイルに容易に備え付けられかつ固定されたマウントを備えた改善されたワイヤハーネスアセンブリシステムに対する要求もある。
【課題を解決するための手段】
【０００５】
本発明は、ワイヤハーネスアセンブリシステムを対象にする。ワイヤハーネスアセンブリシステムは、少なくとも一つのグリッドタイルを含む。グリッドタイルは、上面、底面及び側面を含む。グリッドタイルは、上面からグリッドタイルを貫通してグリッドタイルの底面まで延在する複数個の適合する穴も含む。複数個の適合する穴は、グリッドタイルに沿ってワイヤを送る再配置可能な付属品を受け入れる。グリッドタイルは、グリッドタイルの底面にロッキング面も含む。ロッキング面は、再配置可能な付属品を受け入れて、ロック位置に保持するように複数個の適合する穴を補完する。
【０００６】
ワイヤハーネスアセンブリシステムは、グリッドタイルにおける適合する穴に位置付けられたロッキングマウントも含む。ロッキングマウントは、上部、基部フランジ及び下部を備えた本体を含む。下部は、互いに反対側に位置付けられた適合する部材を備えた位置決めシャフトを含む。ロッキングマウントは、グリッドタイルに備え付けられると、グリッドタイルにおけるロック位置に回転される。ロッキングマウントは、グリッドタイルに沿ってワイヤを送るように設計されたさまざまなワイヤルーティング付属品を受け入れる。
【図面の簡単な説明】
【０００７】
【図１】ワイヤハーネスタイルに備え付けられた適合するロッキングマウントを備えたワイヤハーネスアセンブリシステムの斜視図である。
【図２Ａ】図１のワイヤハーネスタイルに備え付けられる適合するロッキングマウントの一つの上面斜視図である。
【図２Ｂ】図１のワイヤハーネスタイルに備え付けられる適合するロッキングマウントの一つの上面斜視図である。
【図３】図１のワイヤハーネスタイルにおける適合するロッキングマウントの一つに備え付けられる固定取り付けブロックの底面斜視図である。
【図４】備え付けるように位置付けられた適合するロッキングマウントを含む図１のワイヤハーネスアセンブリシステムの部分分解図である。
【図５Ａ】その内部に挿入された適合するロッキングマウントを含む図４のワイヤハーネスアセンブリシステムの上面斜視図である。
【図５Ｂ】図５Ａのワイヤハーネスアセンブリシステム及び適合するロッキングマウントの底面斜視図である。
【図６Ａ】ロック位置の方に部分的に回転された適合するロッキングマウントを含む図５Ａのワイヤハーネスアセンブリシステムの上面斜視図である。
【図６Ｂ】図６Ａのワイヤハーネスアセンブリシステム及び適合するロッキングマウントの底面斜視図である。
【図７Ａ】ロック位置に回転された適合するロッキングマウントを含む図５Ａのワイヤハーネスアセンブリシステムの上面斜視図である。
【図７Ｂ】図７Ａのワイヤハーネスアセンブリシステム及び適合するロッキングマウントの底面斜視図である。
【図８】図１のワイヤハーネスタイルに固定された適合するロッキングマウントに備え付けるように位置付けられたネイル及び取り付けブロックの斜視図である。
【図９】適合するロッキングマウントに備え付けられたネイル及び取り付けブロックを含む図８のワイヤハーネスタイルの側面図である。
【図１０】積層されたハーネスレイアウトシートで覆われた図１のワイヤハーネスタイルに備え付けられるように位置付けられた適合するロッキングマウントの上面斜視図である。
【図１１】ワイヤハーネスタイルに備え付けられた適合するロッキングマウントを含む代替的なワイヤハーネスアセンブリシステムの上面斜視図である。
【図１２】図１１の固定取り付けブロック及び適合するロッキングマウントの上面斜視図である。
【図１３】図１２の固定取り付けブロック及び適合するロッキングマウントの上面分解図である。
【図１４】図１２の固定取り付けブロック及び適合するロッキングマウントの底面斜視図である。
【図１５】図１４の固定取り付けブロック及び適合するロッキングマウントの底面分解図である。
【図１６】代替的な固定取り付けブロック及び適合するロッキングマウントの上面分解斜視図である。
【図１７】図１６の代替的な固定取り付けブロック及び適合するロッキングマウントの底面分解斜視図である。
【図１８】代替的な固定取り付けブロック及び適合するロッキングマウントの上面分解斜視図である。
【図１９】図１８の代替的な固定取り付けブロック及び適合するロッキングマウントの底面分解斜視図である。
【図２０】図１１の適合するロッキングマウントに取り付けられたハーネスボードネイルホルダアセンブリの上面斜視図である。
【図２１】図２０のハーネスボードネイルホルダアセンブリの分解図である。
【図２２】図２０のハーネスボードネイルホルダアセンブリの底面斜視図である。
【図２３】図２２のハーネスボードネイルホルダアセンブリの底面分解図である。
【図２４】図１１の適合するロッキングマウントに取り付けられたマルチプルネイルホルダアセンブリの上面斜視図である。
【図２５】図２４のマルチプルネイルホルダアセンブリの分解図である。
【図２６】図２４のマルチプルネイルホルダアセンブリの底面斜視図である。
【図２７】図２６のマルチプルネイルホルダアセンブリの底面分解図である。
【図２８】備え付けるように位置付けられた適合するロッキングマウント及び固定取り付けブロックを含む図１１のワイヤハーネスアセンブリの部分的分解図である。
【図２９】図１１のワイヤハーネスアセンブリの底面斜視図である。
【図３０】ロック位置における図２９の適合するロッキングマウントの適合特徴の断面図である。
【図３１】ワイヤハーネスタイルに備え付けるように位置付けられた固定取り付けブロックを含むワイヤハーネスアセンブリ及び代替的な適合するロッキングマウントのタイルの部分的分解図である。
【図３２】タイルに挿入された適合するロッキングマウントを含む図３１のワイヤハーネスアセンブリの斜視図である。
【図３３】タイルに部分的に備え付けられるように回転された適合するロッキングマウントを含む図３１のワイヤハーネスアセンブリの斜視図である。
【図３４】タイルに完全に備え付けられるように回転された適合するロッキングマウントを含む図３１のワイヤハーネスアセンブリの斜視図である。
【図３５】グリッドタイルコネクタに固定されるように位置付けられたワイヤハーネスアセンブリのタイルの上面斜視図である。
【図３６】取り外されたタイルの断面を含む、図３５のタイル及びグリッドタイルコネクタの上面斜視図である。
【図３７】図３５のグリッドタイルコネクタ及びワイヤハーネスタイルの底面斜視図である。
【図３８】代替的なグリッドタイルコネクタによって接合されたワイヤハーネスアセンブリの複数個のタイルの斜視図である。
【図３９】代替的なグリッドタイルコネクタに固定されるように位置付けられたワイヤハーネスアセンブリのタイルの上面斜視図である。
【図４０】取り外されたタイルの断面を含む、図３９のタイル及びグリッドタイルコネクタの上面斜視図である。
【図４１】図３９のグリッドタイルコネクタ及びワイヤハーネスタイルの底面斜視図である。
【発明を実施するための形態】
【０００８】
図１は、ワイヤハーネスグリッドタイル６０に備え付けられた適合するロッキングマウントまたは取り付けペグ１１０を備えたワイヤハーネスアセンブリシステム５０を図示する。ワイヤハーネスアセンブリシステム５０は、グリッドタイルのアレイを作り出すように噛み合うワイヤハーネスグリッドタイル６０を含む。各ワイヤハーネスグリッドタイル６０は、上面６２、底面６４及び側面６６を含む。上面６２は、グリッドタイル６０をボード（図示せず）に固定する締め具１７０を受け入れるための穴６８を含む。側面６６は、グリッドタイル６０の周囲に沿って位置する凸部９０及び溝９２構造を含む。隣接するグリッドタイル６０の凸部９０と溝９２とは、位置を合わせて相互接続して、グリッドタイルのアレイを形成する。
【０００９】
複数個の適合する穴７０が、ワイヤハーネスグリッドタイル６０を貫通して延在する。適合する穴７０は、中心円形部７２及び二つの側面矩形部７４を含む。下記のように、適合する穴７０は、適合するロッキングマウント１１０を受け入れて、ワイヤハーネスアセンブリシステムを形成するように設計される。ワイヤハーネスグリッドタイル６０における丸穴パターンは、紙または積層シート１８０（図１０参照）で覆うことができる。紙または積層シート１８０は、所望のワイヤハーネスアセンブリレイアウトを図示するマーキングを含むことができる。
【００１０】
図５Ｂ、図６Ｂ及び図７Ｂを参照して下に論じるように、ワイヤハーネスグリッドタイル６０の底面６４は、適合するロッキングマウント１１０を固定するための複数個のＶ形状の溝８０及び複数個の斜面８２を含む。
【００１１】
複数個の脚１００が、ワイヤハーネスグリッドタイル６０の底面６４から延在する。脚１００は、ワイヤリングハーネス固定具及び付属品を受け入れるテーブルまたはボードにワイヤハーネスグリッドタイル６０を位置付けることを可能にする。
【００１２】
図２Ａ及び図２Ｂは、ワイヤハーネスグリッドタイル６０に備え付けられる適合するロッキングマウント１１０の実施例を図示する。図３は、適合するロッキングマウント１１０の一つに備え付けられる固定取り付けブロックまたは取り付けプラットホーム１５０の実施例を図示する。固定取り付けブロック１５０は、さまざまなワイヤハーネス固定具及び付属品を付ける標準穴パターンを含む。各適合するロッキングマウント１１０は、上部１１４、基部１１５及び下部１１６を備えた円筒マウント１１２である。図２Ａに図示するように、上部１１４は、ネイル１６０（図１参照）などの固定付属品を受け入れるための開口１１８を含む。図２Ｂに図示するように、上部１１４は、キー溝１２０を備えた開口１１８を含む。適合するロッキングマウント１１０におけるキー溝１２０は、図３に図示する固定取り付けブロック１５０から延在するキー溝１５２と一致する。キー溝１２０、１５２によって、適合するロッキングマウント１１０に対する取り付けブロック１５０の付加的な角度位置決めが可能になる。
【００１３】
適合するロッキングマウント１１０の上部１１４は、羽根１２４も含む。羽根１２４は、適合するロッキングマウント１１０のロック位置への回転においてユーザを援助する。
【００１４】
適合するロッキングマウント１１０の下部１１６は、互いから１８０度に位置付けられた側面突起１２６を含む。側面突起１２６は、ワイヤハーネスグリッドタイル６０の適合する穴７０内への挿入を促進する矩形底面部１２８を含む。側面突起１２６は、逆さのＶ形状を形成する先端１３４に至る角度のある壁１３２を備えた上面部１３０も含む。下部１１６は、ワイヤハーネスグリッドタイル６０における備え付けを促進する先細端部１３８または先端も含む。ワイヤハーネスグリッドタイル６０がワイヤハーネスレイアウトを示す紙で覆われた場合には、先細端部１３８は、適合するロッキングマウント１１０が紙を通り抜けて押し進み、適合するロッキングマウント１１０がワイヤハーネスグリッドタイル６０における適所に位置付くことを可能にする。
【００１５】
図４〜図７Ｂは、ワイヤハーネスグリッドタイル６０に備え付けられかつ固定される適合するロッキングマウント１１０を図示する。図４に図示するように、圧迫性のワッシャ１４０が、適合するロッキングマウント１１０の下に備え付けられる。圧迫性のワッシャ１４０は、適合するロッキングマウント１１０が、ワイヤハーネスグリッドタイル６０に堅く保持されたまま、旋回し、ロックされることを可能にする。圧迫性のワッシャ１４０は、ワッシャ１４０とグリッドタイル６０との間の摩擦を減少するプラスチック積層板を含む。適合するロッキングマウント１１０は、側面突起１２６がワイヤハーネスタイル６０における適合する穴７０における側面矩形開口７４と位置を合わすように位置付けられる。図５Ａ及び図５Ｂに図示するように、適合するロッキングマウント１１０は、下部１１６が円形の穴７２の一つを通り抜けて延在し、かつ側面突起１２６が側面矩形開口７４を通り抜けて延在して、ワイヤハーネスグリッドタイル６０に備え付けられる。また、適合ロッキングマウント１１０は、適合するロッキングマウント１１０がワイヤハーネスグリッドタイル６０において回転するときに、ワッシャ１４０を圧迫する。
【００１６】
図６Ａ及び図６Ｂならびに図７Ａ及び図７Ｂに図示するように、適合するロッキングマウント１１０がワイヤハーネスグリッドタイル６０内に挿入されると、ユーザは、適合するロッキングマウント１１０を備え付け位置からロック位置に９０度回転する。適合するロッキングマウント１１０は、回転するときにワッシャ１４０を圧迫する。図７Ａに図示するように、適合するロッキングマウント１１０が溝８０にロックされ、ユーザによって解放されると、ワッシャ１４０は膨張する。
【００１７】
図６Ｂ及び図７Ｂは、ワイヤハーネスグリッドタイル６０における適合するロッキングマウント１１０についてのロッキング特徴を図示する。上述したように、各ワイヤハーネスグリッドタイル６０の底面６４は、Ｖ形状の溝８０に隣接する斜面８２を含む。適合するロッキングマウント１１０の下部１１６から延在する側面突起１２６は、適合するロッキングマウント１１０が備え付け位置からロック位置に９０度回転するときに斜面８２に沿って移動する。図７Ｂに図示するように、各側面突起１２６の逆さのＶ形状の上面部１３０は、適合するロッキングマウント１１０をワイヤハーネスグリッドタイル６０に固定するためのグリッドタイル６０の底面６４におけるＶ形状の溝８０の一つに位置付けられる。
【００１８】
図８及び図９に図示するように、適合するロッキングマウント１１０がワイヤハーネスグリッドタイル６０に固定されると、取り付けブロック１５０、ネイル１６０または他の付属品を、適合するロッキングマウント１１０に備え付けることができる。
【００１９】
さらに、図１０に図示するように、ワイヤハーネスグリッドタイル６０は、積層されたハーネスレイアウトシート１８０で覆うことができる。積層されたハーネスレイアウトシート１８０が使用される場合には、カッター刃１８４を備えたツール１８２を使用して、適合するロッキングマウント１１０に穴を作る。ワッシャ１４０の積層された側面は、ワッシャ１４０とレイアウトシート１８０との間の摩擦を減少して、備え付け中にシートが裂けることを防ぐ。
【００２０】
図１１〜図３８は、そこに固定されたネイルホルダアセンブリ及び取り付けブロックとともに、ワイヤハーネスグリッドタイル２６０及び適合するロッキングマウントまたは取り付けペグ３１０を含むワイヤハーネスアセンブリシステム２５０を図示する。ワイヤハーネスグリッドタイル２６０は、上に論じたワイヤハーネスグリッドタイル６０に類似する。ワイヤハーネスグリッドタイル２６０は、上面２６２、底面２６４、側面２６６及び穴２６８を含む。グリッドタイル２６０の側面２６６は、グリッドタイル２６０がグリッドタイルのアレイを作り出すように噛み合うことを可能にする凸部２９０及び溝２９２を含む。
【００２１】
各グリッドタイル２６０は、適合するロッキングマウント３１０を受け入れるための複数個の適合する穴２７０も含む。前述のグリッドタイル６０と同様に、グリッドタイル２６０における適合する穴２７０は、中心円形部２７２及び二つの側面矩形部２７４を有する。グリッドタイル２６０の底面２６４は、適合するロッキングマウント３１０を固定するための複数個のＶ形状の溝２８０及び複数個の斜面２８２（図２９及び図３０参照）を含む。グリッドタイル２６０は、グリッドタイル２６０の底面２６４から延在する複数個の脚３００を含む。
【００２２】
前述のように、丸穴パターンは、紙または積層シートで覆うことができる。紙または積層シートは、所望のワイヤハーネスアセンブリレイアウトを図示するマーキングを含むことができる。
【００２３】
図１２〜図１５は、図１１に図示するワイヤハーネスグリッドタイル２６０に備え付けられる適合するロッキングマウント３１０及び固定取り付けブロックまたは取り付けプラットホーム４００を図示する。固定取り付けブロック４００は、上面４０２及び底面４０６を備えた矩形である。上面４０２は、さまざまなワイヤハーネス固定具及び付属品を受け入れるパターンに配列された複数個の穴４０４及びスロット４０５を有する。ラッチング環４０８及び取り付けバレル４１０が、固定取り付けブロック４００の底面４０６の中心から延在する。取り付けバレル４１０は、取り付けバレル４１０から外側に延在する複数個の外部キー溝４１２を含む。各外部キー溝４１２は、隣接する外部キー溝４１２から等距離に位置付けられる。
【００２４】
適合するロッキングマウント３１０は、前述の適合するロッキングマウント１１０に類似する。適合するロッキングマウント３１０は、上部３１４、基部フランジ３２０及び下部３２６を備えた円筒本体３１２を含む。上部３１４は、その内部に位置付けられた複数個の内部キー溝３１８を備えた丸いウェル３１６を含む。内部キー溝３１８は、互いから等距離に位置付けられる。取り付けブロック４００の取り付けバレル４１０が、丸いウェル３１６内に挿入される。丸いウェル３１６の内部キー溝３１８は、取り付けバレル４１０から延在する外部キー溝４１２に対応する。内部及び外部キー溝３１８、４１２それぞれによって、適合するロッキングマウント３１０に対する固定取り付けブロック４００の付加的な角度位置決めが可能になる。
【００２５】
スナップインラッチ３２２が、基部フランジ３２０から上方に丸いウェル３１６を超えて延在する。各スナップインラッチ３２２の遠位端部は、取り付けブロック４００のラッチング環４０８に係合するためのフック３２４を含む。
【００２６】
適合するロッキングマウント３１０の下部３２６は、基部フランジ３２０から延在する位置決めシャフト３２８を含む。下部３２６は、位置決めシャフト３２８の両側の側面に位置付けられた適合特徴３３０を含む。適合特徴３３０は、角度のある上面部３３４を備えた矩形側面突起３３２を含む。下部３２６は、先細端部３３８を備えた先端３３６も含む。適合ロッキングマウント３１０は、ワイヤハーネスグリッドタイル２６０に備え付けられると、ユーザによって取り外されるまで、固定されたままである。
【００２７】
図１６〜図１９は、取り付けブロックまたは取り付けプラットホーム及び適合するロッキングマウントまたは取り付けペグの代替的な実施形態を図示する。図１６及び図１７において、取り付けブロックは、三つの平行取り付けスロット４３２を備えたトリスロット取り付けブロック４３０である。取り付けブロック４３０は、隣接する取り付けスロット４３２の壁４３４の間に複数個の補強リブ４３６も含む。リブ４３６の配置は、結果として矩形ポケットのパターンに類似するパターンになる。しかしながら、矩形ポケットは、取り付け特徴としての機能を果たさない。取り付けスロット４３２は、単一のマウント全体に設置されたより小さい固定具、またはワイヤハーネスグリッドタイルに適宜に間隔をあけて位置する二つ以上のマウントに設置されたより大きい固定具に対応することができる。三つの平行取り付けスロット４３２を備えた取り付けブロック４３０を図示するが、取り付けブロック４３０は、所望に応じて、単一のスロットを有しても良いし、任意の数の平行取り付けスロットを有しても良い。取り付けブロック４００に関する前述のように、取り付けブロック４３０は、適合するロッキングマウント３１０ａのスナップインラッチ３２２ａを受け入れるラッチング環４４０、及び適合するロッキングマウント３１０ａのウェル３１６ａ内に挿入される、外部キー溝４４４を備えた取り付けバレル４４２を備えた底面４３８も含む。
【００２８】
適合するロッキングマウント３１０ａは、適合するロッキングマウント３１０に類似する。適合するロッキングマウント３１０ａは、上部３１４ａ、基部フランジ３２０ａ及び下部３２６ａを備えた円筒本体３１２ａを含む。上部３１４ａは、その内部に位置付けられた複数個の内部キー溝３１８ａを備えた丸いウェル３１６ａを含む。内部キー溝３１８ａは、互いから等距離に位置付けられる。スナップインラッチ３２２ａが、基部フランジ３２０ａから上方に丸いウェル３１６ａを超えて延在する。各スナップインラッチ３２２ａの遠位端部は、フック３２４ａを含む。適合するロッキングマウント３１０ａの下部３２６ａは、基部フランジ３２０ａから延在する位置決めシャフト３２８ａを含む。下部３２６ａは、位置決めシャフト３２８ａの両側の側面に位置付けられた適合特徴３３０ａを含む。適合特徴３３０ａは、角度のある上面部３３４ａを備えた矩形側面突起３３２ａを含む。下部３２６ａは、先細端部３３８ａを備えた先端３３６ａも含む。
【００２９】
適合するロッキングマウント３１０ａは、外側に延在する羽根３４０の追加の特徴を含む。羽根３４０は、上部３１４ａから延在して、ロッキングマウント３１０のロック位置への回転においてユーザを援助する。取り付けブロック４３０は、羽根３４０を備えた適合するロッキングマウント３１０ａとともに図示するが、羽根のない適合するロッキングマウント３１０、または柔軟性のあるフランジ３５０（図１８及び図１９参照）を備えた代替的な適合するロッキングマウント３１０ｂとともに使用することもできる。
【００３０】
代替的な適合するロッキングマウント３１０ｂを図１８及び図１９に図示する。適合するロッキングマウント３１０ｂは、適合するロッキングマウント３１０、３１０ａに類似する。適合するロッキングマウント３１０ｂは、上部３１４ｂ、基部フランジ３２０ｂ及び下部３２６ｂを備えた円筒本体３１２ｂを含む。上部３１４ｂは、その内部に位置付けられた複数個の内部キー溝３１８ｂを備えた丸いウェル３１６ｂを含む。内部キー溝３１８ｂは、互いから等距離に位置付けられる。スナップインラッチ３２２ｂが、基部フランジ３２０ｂから上方に丸いウェル３１６ｂを超えて延在する。各スナップインラッチ３２２ｂの遠位端部は、フック３２４ｂを含む。適合するロッキングマウント３１０ｂの下部３２６ｂは、基部フランジ３２０ｂから延在する位置決めシャフト３２８ｂを含む。下部３２６ｂは、位置決めシャフト３２８ｂの両側の側面に位置付けられた適合特徴３３０ｂを含む。適合特徴３３０ｂは、角度のある上面部３３４ｂを備えた矩形側面突起３３２ｂを含む。下部３２６ｂは、先細端部３３８ｂを備えた先端３３６ｂも含む。
【００３１】
代替的な適合するロッキングマウント３１０ｂは、下部３２６ｂから外側に延在する柔軟性のあるフランジ３５０も含む。図３１〜図３４に関して下記するように、柔軟性のあるフランジ３５０は、適合するロッキングマウント３１０ｂ及び付けられたマウントを圧迫して、それらをワイヤハーネスグリッドタイル２６０に備え付けることを可能にする。
【００３２】
取り付けブロックは、様々な小さい固定具に対応するように設計された小型固定マウント４５０である。小型固定マウント４５０は、一組の取り付け穴４５６を含む上面矩形パッド４５４を有する本体４５２、ラッチング環４５８、及び外部キー溝４６２を備えた取り付けバレル４６０を含む。適合するロッキングマウント３１０ｂのスナップインラッチ３２２ｂが、ラッチング環４５８に係合し、外部キー溝４６２を備えた取り付けバレル４６０が、小型固定マウント４５０を適合するロッキングマウント３１０ｂに固定するように丸いウェル３１６ｂ内部に位置付けられる。意図される取り付け配置に応じて、ユーザは、ワイヤハーネスタイルにおけるより近い固定間隔の利益を提供する小型固定マウント４５０を選択することができる。
【００３３】
小型固定マウント４５０は、柔軟性のあるフランジ３５０を有する適合するロッキングマウント３１０ｂとともに図示するが、適合するロッキングマウント３１０または羽根３４０を備えた適合するロッキングマウント３１０ａとともに使用することもできる。
【００３４】
図２０〜図２７は、適合するロッキングマウント３１０、単一のネイルホルダアセンブリ５００、及び五つのネイルホルダアセンブリ５５０を図示する。ネイルホルダアセンブリ５００、５５０の各々は、図１２〜図１９に関して上に図示し論じた適合するロッキングマウント３１０、３１０ａ、３１０ｂの一つに備え付くように設計される。単一のネイルホルダアセンブリ５００は、ネイルホルダ５０２またはピンロケータ及びネイルリテーナ５２０または固定キャップを含む。ネイルリテーナ５２０は、中心開口５２４を備えた本体５２２、及び本体５２２の側面において下方に延在する二つのスナップインラッチ５２６を含む。ネイルホルダ５０２は、本体５０４、ラッチング環５１０、及び外部キー溝５１４を備えた取り付けバレル５１２を含む。本体５０４は、固定ネイル１６０の取り付けシャンクに対応する穴５０６、及びスナップインリング５０８を有する。固定ネイル１６０は、ネイルリテーナ５２０における中心開口５２４を通り抜けて備え付けられる。ネイルリテーナ５２０のスナップインラッチ５２６は、スナップインリング５０８に係合して、ネイルリテーナ５２０をネイルホルダ５０２に固定する。ネイルホルダ５０２の取り付けバレル５１２が、適合するロッキングマウント３１０の丸いウェル３１６に備え付けられ、適合するロッキングマウント３１０のスナップインラッチ３２２が、ネイルホルダ５０２のラッチング環５１０に係合する。
【００３５】
五つのネイルホルダアセンブリ５５０は、ネイルまたはピンを保持するためのネイルホルダ５５２またはピンロケータ及びネイルリテーナ５７０または固定キャップを含む。ネイルホルダ５５２は、本体５５４、ラッチング環５６０、及び外部キー溝５６４を備えた取り付けバレル５６２を含む。本体５５４は、ネイル１６０の取り付けシャンクに対応する五つの穴５５６、及びスナップインポケット５５８を含む。ネイルリテーナ５７０は、五つの穴５７４を備えた本体５７２、及び下方に延在するスナップインラッチ５７６を含む。図２４及び図２６に図示するように、スナップインラッチは、ネイルホルダ本体５５４のスナップインポケット５５８に係合する。四つのスナップインラッチング機構を図示するが、ネイルホルダが二つのみのスナップインラッチング機構を含むことができることが考慮される。さらに、図示する実施形態は、一つのネイルがネイルホルダ５５２の中心に位置付けられる五つのネイルに対応する。ネイルホルダ５５２は、最大五つのネイルの任意の個数のネイルの組み合わせに対応することができる。そのようなものとして、所望のときに、固定具におけるネイルのいくつかは、ネイル間により広い間隔を有するように取り外すことができる。
【００３６】
図２８に図示するように、固定取り付けブロック４００に付けられた適合するロッキングマウント３１０は、ワイヤハーネスグリッドタイル２６０に備え付けられかつ固定されるように位置付けられる。図４に関して前述したように、圧迫性のワッシャ４２０が、適合するロッキングマウント３１０の基部フランジ３２０の下に備え付けられる。圧迫性のワッシャ４２０は、適合するロッキングマウント３１０が、ワイヤハーネスタイル２６０に堅く保持されたまま、旋回し、ロックされることを可能にする。適合するロッキングマウント３１０は、突起３３２がワイヤハーネスグリッドタイル２６０における適合する穴２７０における側面矩形部２７４と位置を合わすように位置付けられる。圧迫性のワッシャ４２０は、ワッシャ４２０と、グリッドタイル２６０と、もし存在すればハーネスレイアウトシートとの間の摩擦を減少するプラスチック積層板を含む。ワッシャ４２０のプラスチック積層板は、ワッシャが備え付けられているときにレイアウトシートが裂けることを防ぐ。適合するロッキングマウント３１０は、下部３２６が円形の穴２７２の一つを通り抜けて延在し、かつ矩形側面突起３３２が側面矩形部２７４を通り抜けて延在して、ワイヤハーネスグリッドタイル２６０に備え付けられる。前述のように、適合するロッキングマウント３１０がワイヤハーネスグリッドタイル２６０内に挿入されると、ユーザは、適合するロッキングマウント３１０を備え付け位置からロック位置に９０度回転する（図２９及び図３０参照）。適合するロッキングマウント３１０は、ワイヤハーネスグリッドタイル２６０において回転するときにワッシャ４２０を圧迫する。適合するロッキングマウント３１０が溝２８０にロックされ、ユーザによって解放されると、ワッシャ４２０は膨張する。図２９及び図３０は、適合するロッキングマウント３１０が備え付けられたワイヤハーネスグリッドタイル２６０の底面を図示する。下部３２６の矩形側面突起３３２が、ワイヤハーネスグリッドタイル２６０の斜面２８２に隣接するＶ形状の溝２８０に位置付けられる。
【００３７】
図３１〜図３４は、ワイヤハーネスグリッドタイル２６０における代替的な適合するロッキングマウント３１０ｃの備え付けを図示する。適合するロッキングマウント３１０ｃは、図１６〜図１９に図示し、記載した適合するロッキングマウント３１０ａとロッキングマウント３１０ｂとの組み合わせである。適合するロッキングマウント３１０ｃは、羽根３４０及び柔軟性のあるフランジ３５０を含む。適合するロッキングマウント３１０ｃは、下部３２６ｃから延在する矩形側面突起３３２ｃがワイヤハーネスグリッドタイル２６０における適合する穴２７０における側面矩形部２７４と位置を合わすように位置付けられる。適合するロッキングマウント３１０ｃは、下部３２６ｃが円形の穴２７２の一つを通り抜けて延在し、かつ矩形側面突起３３２ｃが側面矩形部２７４を通り抜けて延在して、ワイヤハーネスグリッドタイル２６０に備え付けられる。適合するロッキングマウント３１０ｃがワイヤハーネスグリッドタイル２６０内に挿入されると、ユーザは、適合するロッキングマウント３１０ｃを備え付け位置からロック位置に９０度回転する。適合するロッキングマウント３１０ｃが挿入され、回転されるときに、柔軟性のあるフランジ３５０は、圧迫され、平らになる。適合するロッキングマウント３１０ｃがユーザによって解放されると、柔軟性のあるフランジ３５０は、その初期位置に戻る。
【００３８】
図３５〜図４１は、隣接するワイヤハーネスグリッドタイルを接合してワイヤハーネスアセンブリを形成するように設計された接合プレートまたはグリッドタイルコネクタを図示する。接合プレートまたはグリッドタイルコネクタは、合板裏打ちがなくてもグリッドタイルを組み立て、ワイヤハーネスアセンブリの正確な位置合わせを保証することを可能にする。
【００３９】
図３５〜図３７は、接合プレートまたはグリッドタイルコネクタ６００を図示する。グリッドタイルコネクタ６００は、一段高い壁セグメント６０２、平坦底面６０４、位置決めウェル６０６、隅柱６０８、及び補強リブ６１４を含む。隅柱６０８は、ねじ付きインサート６１２（図３７参照）を備えたカウンタボア穴６１０を含む。外周壁は、追加の支持のために、グリッドタイル２６０の底面２６４に到達するように一段高くなっている。脚３００が、位置決めウェル６０６を通り抜けて、ワイヤハーネスグリッドタイル２６０が設置された面に位置する。位置決めウェル６０６の内面と脚３００の外面との間の嵌め合いは、比較的近接しており、その結果、ワイヤハーネスタイルアセンブリに改善された剛性をもたらす。ねじ付きインサート６１２を備えたカウンタボア穴６１０は、ハーネスボードグリッドタイル２６０における穴２６８と位置を合わす。
【００４０】
図３８に図示するように、接合プレートまたはグリッドタイルコネクタ６２０の代替的な実施形態は、平坦底面６２２、隅柱６２６及び補強リブ６３４を含む。平坦底面６２２は、ワイヤハーネスグリッドタイル２６０の脚３００に対応する穴を有する。隅柱６２６は、ねじ付きインサートを備えたカウンタボア穴６３０を有する。ねじ付きインサートは、過度に堅く締められた場合に締め具１７０によって引き出されないように、下面からカウンタボア穴６３０内に押し込まれる。
【００４１】
図３９〜図４１は、接合プレートまたはグリッドタイルコネクタ７００を図示する。グリッドタイルコネクタ７００は、平坦底面７０４、位置決めウェル７０６、隅柱７０８及び補強リブ７１４を含む。隅柱７０８は、ねじ付きインサート７１２（図４１参照）を備えたカウンタボア穴７１０を含む。脚３００が、位置決めウェル７０６を通り抜けて、ワイヤハーネスグリッドタイル２６０が設置された面に位置する。位置決めウェル７０６の内面と脚３００の外面との間の嵌め合いは、比較的近接しており、その結果、ワイヤハーネスタイルアセンブリに改善された剛性をもたらす。ねじ付きインサート７１２を備えたカウンタボア穴７１０は、ハーネスボードグリッドタイル２６０における穴２６８と位置を合わす。
【００４２】
締め具１７０を使用して、ワイヤハーネスグリッドタイル６０、２６０をグリッドタイルコネクタ６００、６２０及び７００に固定する。多くのワイヤハーネスグリッドタイル６０、２６０を使用して、個々のワイヤハーネスグリッドタイル６０、２６０の倍数と等しい寸法を有する任意のサイズの大きいワイヤハーネスアセンブリを形成することができる。グリッドタイルコネクタ６００、６２０及び７００が、隣接するワイヤハーネスグリッドタイルを共に締め付けて、ワイヤハーネスアセンブリシステムの正確な位置合わせを保証するために使用される。
【００４３】
本明細書に記載及び図示したワイヤハーネスアセンブリシステムは、柔軟性がありかつ安価である。ワイヤハーネスグリッドタイル及び適合ロッキングマウントは、容易に組み立てられ、エンドユーザに必要とされるワイヤハーネスアセンブリシステムを形成する。適合するロッキングマウント及びさまざまな取り付け固定具は、所望に応じて、交換可能であり、ユーザによって容易に調節される。適合するロッキングマウント及びさまざまな取り付け固定具は、鋼鉄またはプラスチック材料で作ることができるネイルを除いて、プラスチック材料で作られる。
【００４４】
さらにまた、本発明の特定の好ましい実施形態を示し、記載したが、本発明の教示から逸脱することなく、変化及び変更を為せることが当業者に明らかである。前の記載及び添付の図面に説明される事項は、単なる例証として提供され、それに限定されるものではない。本発明の実際の範囲は、先行技術に基づくそれらの適切な観点において考えられたときに、以下の特許請求の範囲において定義されることが意図される。
【符号の説明】
【００４５】
５０  ワイヤハーネスアセンブリシステム
６０  グリッドタイル
６２  グリッドタイルの上面
６４  グリッドタイルの底面
７０  穴
１１０、１５０、１１０、１６０  付属品
【図１】
0006674456.tif 000002
【図２Ａ】
0006674456.tif 000003
【図２Ｂ】
0006674456.tif 000004
【図３】
0006674456.tif 000005
【図４】
0006674456.tif 000006
【図５Ａ】
0006674456.tif 000007
【図５Ｂ】
0006674456.tif 000008
【図６Ａ】
0006674456.tif 000009
【図６Ｂ】
0006674456.tif 000010
【図７Ａ】
0006674456.tif 000011
【図７Ｂ】
0006674456.tif 000012
【図８】
0006674456.tif 000013
【図９】
0006674456.tif 000014
【図１０】
0006674456.tif 000015
【図１１】
0006674456.tif 000016
【図１２】
0006674456.tif 000017
【図１３】
0006674456.tif 000018
【図１４】
0006674456.tif 000019
【図１５】
0006674456.tif 000020
【図１６】
0006674456.tif 000021
【図１７】
0006674456.tif 000022
【図１８】
0006674456.tif 000023
【図１９】
0006674456.tif 000024
【図２０】
0006674456.tif 000025
【図２１】
0006674456.tif 000026
【図２２】
0006674456.tif 000027
【図２３】
0006674456.tif 000028
【図２４】
0006674456.tif 000029
【図２５】
0006674456.tif 000030
【図２６】
0006674456.tif 000031
【図２７】
0006674456.tif 000032
【図２８】
0006674456.tif 000033
【図２９−３０】
0006674456.tif 000034
【図３１】
0006674456.tif 000035
【図３２】
0006674456.tif 000036
【図３３】
0006674456.tif 000037
【図３４】
0006674456.tif 000038
【図３５】
0006674456.tif 000039
【図３６】
0006674456.tif 000040
【図３７】
0006674456.tif 000041
【図３８】
0006674456.tif 000042
【図３９】
0006674456.tif 000043
【図４０】
0006674456.tif 000044
【図４１】
0006674456.tif 000045